(57)【特許請求の範囲】
【請求項１】
複数種のパワーセーブモードを有する撮像記録装置において、所定のメッセージを表示する表示手段と、記録一時停止状態で前記表示手段にメッセージを表示させる制御スイッチと、該制御スイッチの操作状態に応じて前記表示手段のメッセージの内容を変化させるとともに、そのメッセージに応じたパワーセーブモードになるように各回路の動作を制御する制御手段を備え、
前記制御手段は前記各回路への電源供給を個々に制御することによって、前記制御スイッチが操作された際にレコーダメカの回転動作を止めることでパワーセーブするモードと、撮像された映像を処理する信号処理ブロックの電源供給を切ることでパワーセーブするモードとを選択的に実行することを特徴とする撮像記録装置。
【請求項２】
前記制御スイッチはプッシュタイプのボタンであることを特徴とする請求項１記載の撮像記録装置。
【請求項３】
前記制御手段は記録一時停止状態で前記ボタンが押されたときに前記表示手段にメッセージを表示させ、かつそのメッセージを前記ボタンが押されている時間、前記ボタンが押された回数または前記ボタンが押された間隔に応じて変化させることを特徴とする請求項２記載の撮像記録装置。
【請求項４】
複数種のパワーセーブモードを有する撮像記録装置において、パワーセーブのために設けた制御スイッチと、記録一時停止状態で前記制御スイッチを操作したときにいずれかのパワーセーブモードになるよう予め設定する設定手段と、前記制御スイッチを操作したときに前記設定手段により設定されたパワーセーブモードになるように各回路の動作を制御する制御手段を備え、
前記制御手段は前記各回路への電源供給を個々に制御することによって、前記制御スイッチが操作された際にレコーダメカの回転動作を止めることでパワーセーブするモードと、撮像された映像を処理する信号処理ブロックの電源供給を切ることでパワーセーブするモードとを選択的に実行することを特徴とする撮像記録装置。
【発明の詳細な説明】
【０００１】
【発明の属する技術分野】
本発明は撮像記録装置に関し、特に不必要なときに各部の電源を切る、いわゆるパワーセーブを行う撮像記録装置に関するものである。
【０００２】
【従来の技術】
従来、記録装置として例えば、ビデオカメラでは、まず撮影を行う場合、電源スイッチを操作して電源を入れる必要があるが、電源スイッチの形態として「カメラモード」「切」「ＶＴＲモード」の３ポジションを有するスライドスイッチがあり、撮影を行う場合はこのスイッチを「カメラモード」に合わせるようにしている。
【０００３】
撮影時はバッテリーで電源を駆動する場合が通常の使われ方であり、バッテリーの無駄な消耗を防ぐために前記電源スイッチとは別に、手元で簡単に操作できるスイッチを設けている。ここでこのスイッチをスタンバイスイッチと呼ぶことにする。従来このスタンバイスイッチはレバーになっており、撮影を開始／停止するボタン（スタート／ストップボタン）とメカ的に一体で、レバーを閉じるとスタート／ストップボタンが押せず、開くとスタート／ストップボタンを押せる状態になる。
【０００４】
そして、カメラモード時にスタンバイスイッチを開いた状態にすると撮影に必要な回路に電源が入り記録一時停止状態になり、スタート／ストップボタンを押すと記録が始まる。スタンバイスイッチを閉じるとほとんど全ての回路の電源が切れるようになっており、これによりパワーセーブを図っている。
【０００５】
【発明が解決しようとする課題】
しかしながら、上記のような従来の記録装置においては、スタンバイスイッチは前述したようにスタート／ストップボタンと一体型の構造を持つものやスライドスイッチなど、比較的大きなスペースが無いと設置できず、コストも高いという問題点があった。
【０００６】
また、スタンバイスイッチを閉じるとほとんど全ての回路の電源が切れるためパワーセーブ効果は高いものの、この状態からすぐに記録を始めたいという時に各部の立ち上がりに時間がかかるため実際の記録開始まで時間がかかってしまい撮影チャンスを逃してしまうという問題点があった。
【０００７】
本発明は、上記のような問題点を解決するためになされたものであり、選択的なパワーセーブを行うとができる撮像記録装置を提供することを目的とする。
【０００８】
さらに、簡単な構造、低コストで選択的なパワーセーブを行うことができる撮像記録装置を提供することを目的とする。
【０００９】
【課題を解決するための手段】
上記目的を達成するため、本発明では、撮像記録装置を次の（１）ないし（４）のとおりに構成する。
（１）複数種のパワーセーブモードを有する撮像記録装置において、所定のメッセージを表示する表示手段と、記録一時停止状態で前記表示手段にメッセージを表示させる制御スイッチと、該制御スイッチの操作状態に応じて前記表示手段のメッセージの内容を変化させるとともに、そのメッセージに応じたパワーセーブモードになるように各回路の動作を制御する制御手段を備え、
前記制御手段は前記各回路への電源供給を個々に制御することによって、前記制御スイッチが操作された際にレコーダメカの回転動作を止めることでパワーセーブするモードと、撮像された映像を処理する信号処理ブロックの電源供給を切ることでパワーセーブするモードとを選択的に実行する撮像記録装置。
（２）前記制御スイッチはプッシュタイプのボタンである前記（１）記載の撮像記録装置。
（３）前記制御手段は記録一時停止状態で前記ボタンが押されたときに前記表示手段にメッセージを表示させ、かつそのメッセージを前記ボタンが押されている時間、前記ボタンが押された回数または前記ボタンが押された間隔に応じて変化させる前記（２）記載の撮像記録装置。
（４）複数種のパワーセーブモードを有する撮像記録装置において、パワーセーブのために設けた制御スイッチと、記録一時停止状態で前記制御スイッチを操作したときにいずれかのパワーセーブモードになるよう予め設定する設定手段と、前記制御スイッチを操作したときに前記設定手段により設定されたパワーセーブモードになるように各回路の動作を制御する制御手段を備え、
前記制御手段は前記各回路への電源供給を個々に制御することによって、前記制御スイッチが操作された際にレコーダメカの回転動作を止めることでパワーセーブするモードと、撮像された映像を処理する信号処理ブロックの電源供給を切ることでパワーセーブするモードとを選択的に実行する撮像記録装置。
【００１４】
【発明の実施の形態】
（第１の実施例）
図１から図４及び図６は第１の実施例を説明するための図であり、図１はビデオカメラの構成を示すブロック図、図２〜図４はＥＶＦ上の表示画面を示す図、図６はマイコンの制御動作を示すフローチャートである。
【００１５】
図１において、１はレンズ、２はレンズ１により結像された光学情報を光電変換するＣＣＤ等の撮像部、３は光電変換された信号に各種処理を施すカメラ信号処理ブロック、４は撮像されたデータを記録するための信号に変換するレコーダ信号処理ブロック、５はレコーダ信号処理ブロック４からの信号を磁気データに変換する電磁変換ブロック、６はテープ等の記録媒体、７はマイコン、８はレコーダメカ、９はプッシュタイプのスタンバイボタン（制御スイッチ）、１０は加算器、１１は電子ビューファインダ（ＥＶＦ）、１２はＥＶＦ１１に文字を表示するための文字発生ＩＣ、１３はカメラ信号処理ブロック３やレコーダ信号処理ブロック４に電気を供給する電源である。
【００１６】
上記構成において、レンズ１からの入射光はＣＣＤ２で電気信号に変換され、カメラ信号処理ブロック３で映像信号として処理され、記録時にはレコーダ信号処理ブロック４へ送られる。そして、レコーダ信号処理ブロック４から電磁変換ブロック５を経て記録媒体６に記録される。
【００１７】
レコーダメカ８は周知のドラムモータやキャプスタンモータやローディングメカ等で構成されており、マイコン７はこれらを制御し記録媒体６上の任意の位置に記録を行わせる。また、マイコン７は文字発生ＩＣ１２を制御してカメラ信号処理ブロックからの映像信号に文字信号を加算器１０により加え、その出力をＥＶＦ１１に表示させる。更に、マイコン７は各電気回路に電源１３を通じて電力を供給させる。電源１３は多数の出力を有し、マイコン７からの制御に応じてカメラ信号処理ブロック３やレコーダ信号処理ブロック４等に個別に電源供給を行う。
【００１８】
上記構成において、マイコン７はスタンバイボタン９の操作状態に応じてＥＶＦ１１の表示部のメッセージの内容を変化させるとともに、そのメッセージに応じたパワーセーブモードになるように制御する制御手段を構成している。
【００１９】
上記構成のビデオカメラにおいて、カメラ撮像時は不図示の電源スイッチをカメラモードにすると、マイコン７の制御により電源１３から各電気回路に電源が供給される。また、記録媒体６が挿入されていればレコーダメカ８を制御することにより記録一時停止状態にする。この状態は前記ドラムモータが回転しており、不図示のスタート／ストップボタンを押せば前記キャプスタンモータが回転しすぐに記録が開始される。前記記録一時停止状態でスタンバイボタン９を押し続けるとＥＶＦ１１上に図２に示す表示が出る。更に押し続けると図３に示す表示に変わり、更に押し続けると図４に示す表示に変わる。
【００２０】
ここで図２に示す表示が出ているときにボタン９から指を離すとマイコン７はレコーダメカ８のドラムモータの回転を止める。また図３に示す表示が出ているときにボタン９から指を離すとマイコン７はカメラ信号処理ブロック３の電源を切る。また図４の表示が出ているときにボタン９から指を離すとマイコン７はボタン９によって立ち上がる回路を除いた全ての回路の電源を切る。
【００２１】
図６は上述の動作を示すフローチャートであり、まず、ステップＳ１でスタンバイボタン９が押されたと判断されるとステップＳ２で図２に示す表示を行い、タイマーをスタートする。本実施例では２秒間と設定し、２秒未満でボタン９から手が離されるとステップＳ４でドラムモータの回転を止めるパワーセーブモードになり、２秒以上ボタン９を押すとステップＳ６で図３に示す表示を行い、再度タイマーがスタートする。以下同様に２秒未満でボタン９から手が離されるとステップＳ８でカメラ信号処理ブロック３の電源を切るパワーセーブモードになり、２秒以上ボタン９を押すとステップＳ１０で図４に示す表示を行ってから全回路の電源を切るパワーセーブモードになる。
【００２２】
なお、本実施例ではこのように３つのパワーセーブモードを備えているが、いずれのパワーセーブモードからもボタン９を押すことによりまた各部の回路に電源が入り記録一時停止状態になる。
【００２３】
このように本実施例では、スタンバイボタン９を押している時間毎にＥＶＦ１１に表示する内容を変えるとともに、その表示に応じたパワーセーブ状態になるように制御することにより、ボタン１つで段階的なパワーセーブができ、撮影者の意図に応じて簡単にパワーセーブができる。
【００２４】
更に、スタンバイボタン９はプッシュ（タクト）ボタンタイプという簡単な構造なので、従来よりもスペース効率が良く、コストも削減できる。
【００２５】
（第２の実施例）
図５は第２の実施例によるＥＶＦ上の表示画面を示す図である。なお、構成は基本的に図１と同じであるが、マイコン７に不図示のいわゆるメニュー画面操作のためのボタン（設定手段）が接続されており、これを操作することで図５に示すようなパワーセーブモードから予めパワーセーブしたいモードを選択しておく。次の記録一時停止中にスタンバイボタン９を押すと予め選択したパワーセーブモードに対応した図２〜図４に示す表示が出た後、そのパワーセーブモードになる。
【００２６】
なお、本実施例では第１の実施例同様にパワーセーブモードからはボタン９を押すことにより記録一時停止状態に戻る。また、本実施例ではスタンバイボタン９はプッシュタイプである必要は無く、従来のようにスライドスイッチやレバースイッチでも構わない。
【００２７】
このように本実施例では、予めメニュー画面でパワーセーブモードを設定しておき、スタンバイボタン９を押すことにより設定されたパワーセーブモードになるように制御することにより、段階的なパワーセーブができ、撮影者の意図に応じて予め設定できる。
【００２８】
なお、上記実施例において、パワーセーブモードのメッセージは図２〜図４に示す表示の代わりに「ドラムの回転を止めます」「カメラの電源を切ります」「パワーオフします」というような具体的な表現でももちろん構わない。
【００２９】
また、第１の実施例において、スタンバイボタン９を押している時間とともにパワーセーブモードの表示のみ変化したが表示の変化と同期して実際にメッセージに応じたパワーセーブを行っても良い。
【００３０】
更に、第１の実施例において、スタンバイボタン９を押している時間とともに表示が変化したが、例えばボタン９を押す度に表示を変えてボタン操作後数秒後に最後のメッセージに応じたパワーセーブモードになっても良い。
【００３１】
【発明の効果】
以上説明したように、本発明によれば、選択的なパワーセーブを操作者の意図に応じて行うことができる。
さらに、請求項２の発明によれば、簡単な構造でスペース効率が良く、コストも削減することができる。
また、請求項３の発明によれば、ボタン１つで簡単に選択的なパワーセーブを行うことができる。
また、請求項４の発明によれば、選択的なパワーセーブを操作者の意図に応じて予め設定することができる。
【図面の簡単な説明】
【図１】  本発明に係るビデオカメラの構成を示すブロック図
【図２】  第１の実施例のＥＶＦ上のメッセージ画面を示す図
【図３】  第１の実施例のＥＶＦ上のメッセージ画面を示す図
【図４】  第１の実施例のＥＶＦ上のメッセージ画面を示す図
【図５】  第２の実施例のＥＶＦ上のメニュー画面を示す図
【図６】  第１の実施例の制御動作を示すフローチャート
【符号の説明】
１  レンズ
２  撮像部
３  カメラ信号処理ブロック
４  レコーダ信号処理ブロック
５  電磁変換ブロック
６  記録媒体
７  マイコン（制御手段）
８  レコーダメカ
９  スタンバイボタン（制御スイッチ）
１０  加算器
１１  ＥＶＦ（表示部）
１２  文字発生ＩＣ
１３  電源
【図１】
0003943684.tif 000002
【図２】
0003943684.tif 000003
【図３】
0003943684.tif 000004
【図４】
0003943684.tif 000005
【図５】
0003943684.tif 000006
【図６】
0003943684.tif 000007